(57)【特許請求の範囲】
【請求項１】
挿入部の先端にネジ止め連結された先端部本体に、上記挿入部内に挿通された内蔵物の先端がネジ止め固定された内視鏡の先端部において、
上記先端部本体連結用止めネジの奥に、上記内蔵物固定用止めネジが配置されていることを特徴とする内視鏡の先端部。
【請求項２】
上記先端部本体連結用止めネジのネジ孔と上記内蔵物固定用止めネジのネジ孔とが連通している請求項１記載の内視鏡の先端部。
【請求項３】
上記先端部本体連結用止めネジは、ネジ部より太く形成されたネジ頭で被連結物を上記先端部本体に押圧し、上記内蔵物固定用止めネジはそのネジ先で被固定物を上記先端部本体に押圧する請求項１又は２記載の内視鏡の先端部。
【請求項４】
上記先端部本体連結用止めネジは、上記先端部本体に嵌めこまれた雌ネジ環にねじ込まれ、上記内蔵物固定用止めネジは上記先端部本体に形成されたネジ孔にねじ込まれる請求項１、２又は３記載の内視鏡の先端部。
【請求項５】
上記先端部本体連結用止めネジのネジ孔の径が上記内蔵物固定用止めネジのネジ孔の径より大きい請求項１、２又は３記載の内視鏡の先端部。
【請求項６】
上記先端部本体連結用止めネジのネジ孔の中心軸線と上記内蔵物固定用止めネジのネジ孔の中心軸線とが一致している請求項５記載の内視鏡の先端部。
【請求項７】
上記先端部本体連結用止めネジのネジ孔の中心軸線と上記内蔵物固定用止めネジのネジ孔の中心軸線とが相対的に傾いている請求項５記載の内視鏡の先端部。
【請求項８】
上記先端部本体連結用止めネジのネジ孔の中心軸線と上記内蔵物固定用止めネジのネジ孔の中心軸線とが平行にずれている請求項５記載の内視鏡の先端部。
【請求項９】
上記先端部本体連結用止めネジと上記内蔵物固定用止めネジとが、上記先端部本体に形成された同じネジ孔の異なる深さの位置にねじ込まれる請求項１、２又は３記載の内視鏡の先端部。
【発明の詳細な説明】
【０００１】
【発明の属する技術分野】
この発明は内視鏡の先端部に関する。
【０００２】
【従来の技術】
図６は内視鏡の全体構成を示しており、可撓管によって外装された挿入部１の先端部分に、遠隔操作によって屈曲自在な湾曲部２が設けられていて、対物光学系等を内蔵した先端部本体３が湾曲部２の先端に連結されている。湾曲部２の遠隔操作は、挿入部１の基端に連結された操作部４に配置された湾曲操作ノブ５によって行われる。
【０００３】
図７は、挿入部１と湾曲部２との連結部分の断面図であり、湾曲部２を構成する最先端の節輪７が先端部本体３に被嵌されている。９は、湾曲部２を外装するゴム製の外皮チューブである。
【０００４】
最先端の節輪７と先端部本体３とは、皿ビスからなる２個の先端部本体連結用止めネジ１１によってネジ止め連結されており、各先端部本体連結用止めネジ１１は、先端部本体３に形成された孔に嵌め込まれた雌ネジ環１２にねじ込まれている。
【０００５】
挿入部１内には、照明用光学繊維束やチューブ類など幾つかの内蔵物が全長にわたって挿通配置されており、それらの先端部分は、いずれも先端部本体３に固定されている。
【０００６】
そして、そのうちのＣＣＤ用信号ケーブルの先端口金１５ａと照明用光学繊維束の先端口金１６ａは、各々尖り先ビスからなる内蔵物固定用止めネジ１７，１８によって先端部本体３にネジ止め固定されている。
【０００７】
【発明が解決しようとする課題】
上述のように、先端部本体３には、先端部本体連結用のネジ部と内蔵物固定用のネジ部が形成されているが、各ネジ部は互いに干渉しないように位置をずらして先端部本体３に形成されている。
【０００８】
しかし、図７に示されるように、そのようなネジ部の数が多くなると、ネジしろを確保するために先端部本体３の径が大きくなってしまい、内視鏡の挿入性が低下する問題が生じる。
【０００９】
そこで本発明は、先端部本体連結用のネジ部と内蔵物固定用のネジ部を先端部本体に多数設けた場合でも外径を小さく形成することができる内視鏡の先端部を提供することを目的とする。
【００１０】
【課題を解決するための手段】
上記の目的を達成するため、本発明の内視鏡の先端部は、挿入部の先端にネジ止め連結された先端部本体に、上記挿入部内に挿通された内蔵物の先端がネジ止め固定された内視鏡の先端部において、上記先端部本体連結用止めネジの奥に、上記内蔵物固定用止めネジが配置されていることを特徴とする。
【００１１】
なお、上記先端部本体連結用止めネジのネジ孔と上記内蔵物固定用止めネジのネジ孔とが連通しているとよい。
【００１２】
また、上記先端部本体連結用止めネジは、ネジ部より太く形成されたネジ頭で被連結物を上記先端部本体に押圧し、上記内蔵物固定用止めネジはそのネジ先で被固定物を上記先端部本体に押圧するようにしてもよい。
【００１３】
また、上記先端部本体連結用止めネジは、上記先端部本体に嵌めこまれた雌ネジ環にねじ込まれ、上記内蔵物固定用止めネジは上記先端部本体に形成されたネジ孔にねじ込まれるようにしてもよい。
【００１４】
さらに、上記先端部本体連結用止めネジのネジ孔の径が上記内蔵物固定用止めネジのネジ孔の径より大きくてもよい。
その場合、上記先端部本体連結用止めネジのネジ孔の中心軸線と上記内蔵物固定用止めネジのネジ孔の中心軸線とが一致していてもよく、相対的に傾いていてもよく、或いは平行にずれていてもよい。
【００１５】
また、上記先端部本体連結用止めネジと上記内蔵物固定用止めネジとが、上記先端部本体に形成された同じネジ孔の異なる深さの位置にねじ込まれるようにしてもよい。
【００１６】
【発明の実施の形態】
図面を参照して本発明の実施の形態を説明する。
図２は湾曲部２の先端側の部分と先端部本体３を示している。湾曲部２は、多数の節輪７，１０７をリベット２１で回動自在に連結して、その外周面を網状管８で被覆し、さらにその外側を伸縮性のあるゴム製の外皮チューブ９で被覆して屈曲自在に構成されている。２２は湾曲操作ワイヤである。
【００１７】
最先端の節輪７は、先端部本体３の後半部の外周に被嵌されていて、その節輪７と先端部本体３とは、皿ビスからなる２個の先端部本体連結用止めネジ１１によってネジ止め連結されている。
【００１８】
先端部本体連結用止めネジ１１は、先端部本体３に形成された孔に嵌め込まれた雌ネジ環１２にねじ込まれていて、ネジ部より太いネジ頭部分で節輪７を先端部本体３に押圧固定している。雌ネジ環１２は、金属製の短筒の内面に雌ネジが螺設されたものである。
【００１９】
２４は、先端部本体３に内蔵された対物光学系であり、対物光学系２４による被写体の結像位置には、例えば電荷結合素子（ＣＣＤ）からなる固体撮像素子２５が配置されている。
【００２０】
固体撮像素子２５は、湾曲部２から挿入部１内の全長にわたって挿通配置されたＣＣＤ用信号ケーブル１５（内蔵物）の先端口金１５ａにユニット化して固着されている。
【００２１】
ＣＣＤ用信号ケーブル１５の先端口金１５ａは、先端部本体３のネジ孔にねじ込まれた尖り先ビスからなる内蔵物固定用止めネジ１７の先端によって、先端部本体３に押圧固定されている。
【００２２】
観察範囲を照明するための照明用光学繊維束１６（内蔵物）は、湾曲部２から挿入部１内の全長にわたって挿通配置されており、その先端口金１６ａも、尖り先ネジからなる内蔵物固定用止めネジ１８によって先端部本体３に固定されている。２６は、照明用光学繊維束１６から射出された照明光の配光を広げるための照明レンズであり、凹レンズによって形成されている。
【００２３】
図３は、先端部本体３の先端面部分を示しており、奥側に照明用光学繊維束１６が配置された照明レンズ２６は２か所に設けられている。そして、対物光学系２４の他に、鉗子出口孔２８、送気ノズル２９、レンズ面洗浄用送水ノズル３０及びいわゆるウォータージェットノズル３１が設けられている。
【００２４】
図１は、湾曲部２と先端部本体３との連結部の断面（図２におけるＩ−Ｉ断面）を示している。１２８，１２９，１３０，１３１は、鉗子チャンネル、送気チューブ、レンズ面洗浄用送水チューブ、ウォータージェット用送水チューブである。
【００２５】
図１に示されるように、ＣＣＤ用信号ケーブル１５の先端口金１５ａを先端部本体３に押圧固定する内蔵物固定用止めネジ１７は、２か所に配置された先端部本体連結用止めネジ１１のうちの一方の先端部本体連結用止めネジ１１の奥の位置に配置されている。ネジ径は外側に位置する先端部本体連結用止めネジ１１の方が大きく、両ネジ１７，１１の中心軸線は一致している。
【００２６】
したがって、先端部本体連結用止めネジ１１が取り付けられた状態では内蔵物固定用止めネジ１７を付け外しすることができないが、それは組み立ての手順からいって何ら不都合ではない。
【００２７】
また、もう一つの先端部本体連結用止めネジ１１の奥の位置には、二つあるうちの一方の照明用光学繊維束１６の先端口金１６ａを先端部本体３に押圧固定する内蔵物固定用止めネジ１８が配置されている。ネジ径は外側に位置する先端部本体連結用止めネジ１１の方が大きく、両ネジ１８，１１の中心軸線は傾いて交差している。
【００２８】
したがって、先端部本体連結用止めネジ１１が取り付けられた状態ではその内蔵物固定用止めネジ１８を付け外しすることができないが、それも組み立ての手順からいって何ら不都合ではない。なお、先端部本体３に対する照明用光学繊維束１６の先端口金１６ａの固定には接着剤を併用してもよい。
【００２９】
このように、先端部本体連結用止めネジ１１の奥に内蔵物固定用止めネジ１７，１８を軸線方向に干渉させて配置して、両ネジ１１，１７，１８のネジ孔を連通させることにより、他の内蔵物と内蔵物との間の隙間等を有効利用して、先端部本体３を細く形成することができる。
【００３０】
この実施の形態における湾曲部２と先端部本体３との連結部の外径を図１に示されるようにＤとしたとき、図７に示される従来の技術による連結部の外径より一回り小さく構成できていることがわかる。
【００３１】
図４は、本発明の第２の実施の形態の湾曲部２と先端部本体３との連結部の断面図であり、先端部本体連結用止めネジ１１と内蔵物固定用止めネジ１７，１８とを、先端部本体３に形成された同じネジ孔（したがって、径及びピッチ共に同じネジ孔）の異なる深さの位置にねじ込んだものである。
【００３２】
即ち、先端部本体３に形成されたネジ孔の奥の部分に内蔵物固定用止めネジ１７，１８がねじ込まれ、そのネジ孔の口元側の部分に先端部本体連結用止めネジ１１がねじ込まれている。このようにすることにより、構造をより簡易化することができる。
【００３３】
図５は、本発明の第３の実施の形態の湾曲部２と先端部本体３との連結部の断面図であり、先端部本体連結用止めネジ１１と内蔵物固定用止めネジ１７とを、中心軸線を平行にずらして配置したものである。この内蔵物固定用止めネジ１７では、像伝送用光学繊維束の先端口金１１５ａが固定されている。
【００３４】
なお、先端部本体連結用止めネジ１１としては、ネジ頭部分が平らでネジ部より太い平ビス等を用いてもよく、内蔵物固定用止めネジ１７，１８としては、ネジ先部分が平らな平先ビスや、ネジ先部分がネジ部よりやや細い棒状の棒先ビス等を用いてもよい。
【００３５】
また、内蔵物固定用止めネジ１７，１８によって先端部本体３に固定される内蔵物は、各種チャンネルやチューブ類等であってもよい。
【００３６】
【発明の効果】
本発明によれば、先端部本体連結用止めネジの奥に内蔵物固定用止めネジを配置したことにより、内蔵物と内蔵物との隙間等を有効利用することができるので、先端部本体に先端部本体連結用のネジ部と内蔵物固定用のネジ部を多数設けた場合でも内視鏡の先端部の外径を小さく形成して、患者に対する内視鏡の挿入性を向上させることができる優れた効果を有する。
【図面の簡単な説明】
【図１】本発明の第１の実施の形態における湾曲部と先端部本体との連結部の正面断面図（図２におけるＩ−Ｉ断面図）である。
【図２】本発明の第１の実施の形態における湾曲部と先端部本体部分の側面断面図である。
【図３】本発明の第１の実施の形態における先端部本体の正面図である。
【図４】本発明の第２の実施の形態における湾曲部と先端部本体との連結部の正面断面図である。
【図５】本発明の第３の実施の形態における湾曲部と先端部本体との連結部の正面断面図である。
【図６】内視鏡（電子内視鏡）の全体外観図である。
【図７】従来の湾曲部と先端部本体との連結部の正面断面図である。
【符号の説明】
２  湾曲部
３  先端部本体
７  最先端の節輪
１１  先端部本体連結用止めネジ
１２  雌ネジ環
１５  ＣＣＤ用信号ケーブル
１５ａ  先端口金
１６  照明用光学繊維束
１６ａ  先端口金
１７，１８  内蔵物固定用止めネジ
【図１】
0003641330.tif 000002
【図２】
0003641330.tif 000003
【図３】
0003641330.tif 000004
【図４】
0003641330.tif 000005
【図５】
0003641330.tif 000006
【図６】
0003641330.tif 000007
【図７】
0003641330.tif 000008